Podtech/llm-jp-corpus-v4-ja_patent huggingface dataset:
【手続補正書】
【提出日】平成19年10月15日(2007.10.15)
【手続補正１】
【補正対象書類名】明細書
【補正対象項目名】０００３
【補正方法】変更
【補正の内容】
【０００３】
従来、このような分離膜エレメントの製造においては、たとえば、ロール状に巻かれた分離膜から、所定長の分離膜を引き出して枚葉の分離膜にカットし、枚葉の分離膜を、間に流路材（たとえば、原液流路材）を挟むように二つ折りにして分離膜ユニットを形成し、その分離膜ユニットと他方の流路材（たとえば、透過液流路材）とを交互に重ねて集水管の周りに巻囲している（例えば、特許文献１）。また、特許文献１の段落番号００１６には、分離膜を巻き出す際の巻出張力を最適化するために適当な制御手段を設けることが記載されている。
【特許文献１】特開平１１−２２６３６６号公報
【手続補正書】
【提出日】平成19年7月4日(2007.7.4)
【手続補正１】
【補正対象書類名】明細書
【補正対象項目名】請求項１
【補正方法】変更
【補正の内容】
【請求項１】  濾過膜ユニットを処理槽内の水中へ浸漬し、濾過膜を透過した濾過処理水を得る浸漬型膜濾過装置において、処理槽として、順次連通した二つ以上の分割槽に構成し、各分割槽にそれぞれ濾過膜ユニットを浸漬するとともに、各分割槽に浸漬した濾過膜ユニットの濾過流束または回収率をそれぞれ異なる値にしたことを特徴とする膜濾過装置。
【手続補正２】
【補正対象書類名】明細書
【補正対象項目名】００４３
【補正方法】変更
【補正の内容】
【００４３】
また、浸漬型膜濾過装置には濾過膜の下部に散気設備を配備する方法が多く見られるが、本発明においても空気発生源と散気装置を利用した散気設備を配備することが可能である。
【手続補正書】
【提出日】平成19年7月4日(2007.7.4)
【手続補正１】
【補正対象書類名】明細書
【補正対象項目名】００１０
【補正方法】変更
【補正の内容】
【００１０】
前段槽と後段槽の２槽は、別々の槽に構成して両槽を配管等で連通するようににしてもよく、一つの処理槽内を、前段槽としての前段部分と、後段槽としての後段部分とに区画するようにしてもよい。処理槽内の前段部分と後段部分との区画の仕方は特に限定しないが、例えば、処理槽内を横方向（水平方向）に互いに隣接するように前段部分と後段部分に区画することもできるし、前段部分としての内側槽部分と、該内側槽部分の外周側に位置する後段部分としての外側槽部分との二重槽構造に区画することもできる。
【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】  複数の吐出孔を有する塗布ヘッドを使用し、この塗布ヘッドを基板と対向させて相対的に移動させながら、基板上のリブで区画されたセルに蛍光体ペーストを充填するようにしたプラズマディスプレイパネルの蛍光面形成方法において、セルはストライプ状のリブによって仕切られており、そのセルの断面積をＳとし、蛍光体ペーストの単位長さ当たりの充填量をｑとした時に、
１．０５Ｓ≦ｑ≦１．２Ｓ
となるように蛍光体ペーストを充填することを特徴とするプラズマディスプレイパネルの蛍光面形成方法。
【請求項２】  複数の吐出孔を有する塗布ヘッドを使用し、この塗布ヘッドを基板と対向させて相対的に移動させながら、基板上のリブで区画されたセルに蛍光体ペーストを充填するようにしたプラズマディスプレイパネルの蛍光面形成方法において、セルはストライプ状でないリブによって仕切られており、そのセルの単位長さ当たりの平均断面積をＡＳとし、蛍光体ペーストの単位長さ当たりの充填量をｑとした時に、
１．０５ＡＳ≦ｑ≦１．２ＡＳ
となるように蛍光体ペーストを充填することを特徴とするプラズマディスプレイパネルの蛍光面形成方法。
【請求項３】  複数回の充填による充填量の総和が請求項１又は２に記載の充填量ｑを満たすことを特徴とするプラズマディスプレイパネルの蛍光面形成方法。
【手続補正２】
【補正対象書類名】明細書
【補正対象項目名】００１４
【補正方法】変更
【補正の内容】
【００１４】
【発明の実施の形態】
本発明は、複数の吐出孔を有する塗布ヘッドを使用し、この塗布ヘッドを基板と対向させて相対的に移動させながら、基板上のリブで区画されたセルに蛍光体ペーストを充填するようにしたＰＤＰの蛍光面形成方法において、セルは図１に示すようなストライプ状のリブによって仕切られており、そのセルの断面積をＳとし、蛍光体ペーストの単位長さ当たりの充填量をｑとした時に、
１．０５Ｓ≦ｑ≦１．２Ｓ
となるように蛍光体ペーストを充填するようにしたものである。
【手続補正３】
【補正対象書類名】明細書
【補正対象項目名】００１５
【補正方法】変更
【補正の内容】
【００１５】
すなわち、単位長さ当たりの充填量ｑが１．５Ｓを越えるようだと、表面張力で抑えきれなくなり、蛍光体ペーストが溢れて隣のセルにはみ出して混色を起こすことになる。そして、１．０５Ｓと１．２Ｓの間に設定すると、リブ頂部に対する蛍光体ペーストの付着具合がならされ、充填した蛍光体ペーストが乾燥した時に、リブ壁面での厚さのバラツキがなくなる。
【手続補正４】
【補正対象書類名】明細書
【補正対象項目名】００１８
【補正方法】変更
【補正の内容】
【００１８】
このような輝度の改善を目的としたストライプ以外のリブ形状を有する背面板の場合は、そのセルの単位長さ当たりの平均断面積をＡＳとし、蛍光体ペーストの単位長さ当たりの充填量をｑとした時に、
１．０５ＡＳ≦ｑ≦１．２ＡＳ
となるように蛍光体ペーストを充填する。この充填量にて充填された蛍光体ペーストは、続く乾燥工程を経ることにより所望の形状の蛍光面となり、ムラの発生を防止することができる。
【手続補正書】
【提出日】平成19年3月12日(2007.3.12)
【手続補正１】
【補正対象書類名】明細書
【補正対象項目名】０１１６
【補正方法】変更
【補正の内容】
【０１１６】
また、例えば、利用者が支払う料金に対応して、利用者に提示される揺動の振幅が変化する。例えば、利用者がより少ない料金を支払うと、端末装置１は、よりおおまかな揺動を利用者に提示する。例えば、利用者がより多くの料金を支払うと、端末装置１は、より強い、または細かな揺動を利用者に提示する。
【手続補正２】
【補正対象書類名】明細書
【補正対象項目名】０１３２
【補正方法】変更
【補正の内容】
【０１３２】
揺動信号生成装置２０２は、端末装置２０３から受信した宣伝費から、メーカ情報および部品情報を端末装置２０１に配信したことに対する宣伝費（揺動信号生成装置２０２に対応する宣伝費）を徴収する。
【手続補正３】
【補正対象書類名】明細書
【補正対象項目名】０１３４
【補正方法】変更
【補正の内容】
【０１３４】
端末装置２０１は、揺動信号生成装置２０２から受信した宣伝費、つまり、メーカ情報および部品情報に対応する画像を表示したことに対する宣伝費（端末装置２０３を管理している製造者から支払われる）を徴収する。
【手続補正４】
【補正対象書類名】図面
【補正対象項目名】図１８
【補正方法】変更
【補正の内容】
【図１８】
2002042150.tif 000001
【手続補正書】
【提出日】平成19年7月17日(2007.7.17)
【手続補正１】
【補正対象書類名】明細書
【補正対象項目名】特許請求の範囲
【補正方法】変更
【補正の内容】
【特許請求の範囲】
【請求項1】
人間の色知覚モデルを用いるカラーマッチングを行う画像処理装置であって、
画像と観察者の距離、および、前記画像の解像度を入力する入力手段と、
前記入力された距離および解像度に基づき、前記画像上の注目画素に対する複数の視野角に基づく領域を定義してカラーマッチングを行う処理手段とを有することを特徴とする画像処理装置。
【請求項2】
前記処理手段は、前記複数の視野角として少なくとも二度、四度および10度を採用することを特徴とする請求項1に記載された画像処理装置。
【請求項3】
前記処理手段は、前記複数の視野角に対応する円形領域を正方形領域で近似して、それら領域内における処理を高速化することを特徴とする請求項1または請求項2に記載された画像処理装置。
【請求項4】
前記処理手段は、前記複数の視野角に対応する領域の画素値を用いて、前記注目画素に対する観察条件パラメータを決定することを特徴とする請求項1から請求項3の何れか一項に記載された画像処理装置。
【請求項5】
前記処理手段は、前記人間の色知覚モデルにおける、色票の視野角以内における画像の均一度合に基づき、前記色票の視野角より大、または、前記色票の視野角以下を平均的な周囲(Average Surrond)の観察条件パラメータとして採用することを特徴とする請求項1から請求項4の何れか一項に記載された画像処理装置。
【請求項6】
前記処理手段は、前記注目画素に対する背景領域の平均相対輝度を前記注目画素に対する観察条件パラメータに設定することを特徴とする請求項1から請求項5の何れか一項に記載された画像処理装置。
【請求項7】
前記処理手段は、画像の縁近傍を処理する際に、隣接領域内の欠落画素および背景領域の欠落画素に特定の値を設定して、前記縁近傍における処理を高速化することを特徴とする請求項1から請求項6の何れか一項に記載された画像処理装置。
【請求項8】
前記特定の値は輝度100%、20%または周囲領域の相対輝度であることを特徴とする請求項7に記載された画像処理装置。
【請求項9】
前記処理手段は、前記複数の視野角に対応する領域の範囲を利用して、ベクタ画像上の各オブジェクトに対する観察条件パラメータを決定することを特徴とする請求項1から請求項8の何れか一項に記載された画像処理装置。
【請求項10】
さらに、前記画像と観察者の距離を計測する測距センサを有することを特徴とする請求項1から請求項9の何れか一項に記載された画像処理装置。
【請求項11】
さらに、前記画像と観察者の距離を入力するインタフェイスを有することを特徴とする請求項1から請求項9の何れか一項に記載された画像処理装置。
【請求項12】
さらに、画像の縁または枠部分の相対輝度を入力するユーザインタフェイスを有することを特徴とすることを特徴とする請求項1から請求項11の何れか一項に記載された画像処理装置。
【請求項13】
人間の色知覚モデルを用いるカラーマッチングを行う画像処理方法であって、
画像と観察者との距離、および、前記画像の解像度を入力し、
前記入力された距離および解像度に基づき、前記画像上の注目画素に対する複数の視野角に基づく領域を定義してカラーマッチングを行うことを特徴とする画像処理方法。
【請求項14】
カラーアピアランスモデルを用いるカラーマッチングを行う画像処理装置であって、
注目画素に対して所定の位置関係にある領域内の画素の平均輝度データを算出する算出手段と、
前記平均輝度データに基づき、観察条件パラメータを設定する設定手段と、
前記設定された観察条件パラメータに応じて、前記カラーアピアランスモデルを用いるカラーマッチングを行うカラーマッチング手段とを有することを特徴とする画像処理装置。
【請求項15】
前記算出手段、前記設定手段および前記カラーマッチング手段の処理を、入力画像の各画素に施すことを特徴とする請求項14に記載された画像処理装置。
【請求項16】
前記設定手段は、順応領域の白色点絶対輝度および周囲領域の絶対輝度を取得し、前記カラーマッチング手段は、前記入力画像に対して、前記順応領域の白色点絶対輝度および前記周囲領域の絶対輝度として同一の値を使用することを特徴とする請求項15に記載された画像処理装置。
【請求項17】
カラーアピアランスモデルを用いるカラーマッチングを行う画像処理方法であって、
注目画素に対して所定の位置関係にある領域内の画素の平均輝度データを算出し、
前記平均輝度データに基づき、観察条件パラメータを設定し、
前記設定された観察条件パラメータに応じて、前記カラーアピアランスモデルを用いるカラーマッチングを行うことを特徴とする画像処理方法。
【請求項18】
コンピュータ装置を制御して、請求項1から請求項12、請求項14から請求項16の何れか一項に記載された画像処理装置の各手段として機能させるコンピュータプログラムが記録されたことを特徴とするコンピュータが読み取り可能な記憶媒体。
【手続補正書】
【提出日】平成19年7月4日(2007.7.4)
【手続補正１】
【補正対象書類名】明細書
【補正対象項目名】特許請求の範囲
【補正方法】変更
【補正の内容】
【特許請求の範囲】
【請求項１】  画像生成を行うゲームシステムであって、
第１のオブジェクトとはレンダリング情報が異なる第２のオブジェクトを、前記第１のオブジェクトから第１の方向側に所与の微少オフセット値だけずらして配置設定する手段と、
Ｚ値が格納されるＺバッファを用いて陰面消去を行いながら、前記第１、第２のオブジェクトが設定されるオブジェクト空間の所与の視点での画像を描画する描画手段と、
を含むことを特徴とするゲームシステム。
【請求項２】  請求項１において、
前記第２のオブジェクトが、前記第１のオブジェクトに描かれるべき影を擬似的に表すオブジェクトであるとことを特徴とするゲームシステム。
【請求項３】  請求項１において、
前記第２のオブジェクトが、前記第１のオブジェクトに描かれるべき照光画像を擬似的に表すオブジェクトであるとことを特徴とするゲームシステム。
【請求項４】  請求項１乃至３のいずれかにおいて、
前記第２のオブジェクトが、中央領域から輪郭線の方に向かうにつれて徐々に透明又は不透明になるオブジェクトであることを特徴とするゲームシステム。
【請求項５】  請求項１乃至４のいずれかにおいて、
前記第２のオブジェクトの輪郭線に沿って、前記第１、第２のオブジェクト間の前記第１の方向での隙間を遮るための遮りオブジェクトを設けることを特徴とするゲームシステム。
【請求項６】  請求項１乃至５のいずれかにおいて、
前記描画手段が、プリミティブ面単位で描画処理を行う場合において、
前記第１、第２のオブジェクトを、複数のプリミティブ面に分割する手段を含むことを特徴とするゲームシステム。
【請求項７】  請求項１乃至６のいずれかにおいて、
前記描画手段が、
前記第１、第２のオブジェクトを構成するプリミティブ面の頂点のＺ値に基づき、プリミティブ面の各ピクセルのＺ値を補間演算する補間手段を含み、
前記第２のオブジェクトが、
前記補間手段の演算誤差よりも大きな値の微少オフセット値だけ前記第１のオブジェクトから前記第１の方向側にずらして配置されることを特徴とするゲームシステム。
【請求項８】  請求項１乃至７のいずれかにおいて、
前記第２のオブジェクトが、
前記第１のオブジェクトと同一形状又はほぼ同一形状であるがレンダリング情報が異なる第３のオブジェクトから所与の条件で切り出されたオブジェクトであることを特徴とするゲームシステム。
【請求項９】  請求項８において、
移動する第４のオブジェクトの情報と光源情報とに基づいて、前記第３のオブジェクトから前記第２のオブジェクトが切り出されることを特徴とするゲームシステム。
【請求項１０】  請求項８又は９において、
所与の平面を用いて前記第３のオブジェクトから前記第２のオブジェクトが切り出されることを特徴とするゲームシステム。
【請求項１１】  コンピュータが使用可能な情報記憶媒体であって、
第１のオブジェクトとはレンダリング情報が異なる第２のオブジェクトを、前記第１のオブジェクトから第１の方向側に所与の微少オフセット値だけずらして配置設定する手段と、
Ｚ値が格納されるＺバッファを用いて陰面消去を行いながら、前記第１、第２のオブジェクトが設定されるオブジェクト空間の所与の視点での画像を描画する描画手段と、
としてコンピュータを機能させるためのプログラムを含むことを特徴とする情報記憶媒体。
【請求項１２】  請求項１１において、
前記第２のオブジェクトが、前記第１のオブジェクトに描かれるべき影を擬似的に表すオブジェクトであるとことを特徴とする情報記憶媒体。
【請求項１３】  請求項１１において、
前記第２のオブジェクトが、前記第１のオブジェクトに描かれるべき照光画像を擬似的に表すオブジェクトであるとことを特徴とする情報記憶媒体。
【請求項１４】  請求項１１乃至１３のいずれかにおいて、
前記第２のオブジェクトが、中央領域から輪郭線の方に向かうにつれて徐々に透明又は不透明になるオブジェクトであることを特徴とする情報記憶媒体。
【請求項１５】  請求項１１乃至１４のいずれかにおいて、
前記第２のオブジェクトの輪郭線に沿って、前記第１、第２のオブジェクト間の前記第１の方向での隙間を遮るための遮りオブジェクトを設けることを特徴とする情報記憶媒体。
【請求項１６】  請求項１１乃至１５のいずれかにおいて、
前記描画手段が、プリミティブ面単位で描画処理を行う場合において、
前記第１、第２のオブジェクトを、複数のプリミティブ面に分割する手段を実行するためのプログラムを含むことを特徴とする情報記憶媒体。
【請求項１７】  請求項１１乃至１６のいずれかにおいて、
前記描画手段が、
前記第１、第２のオブジェクトを構成するプリミティブ面の頂点のＺ値に基づき、プリミティブ面の各ピクセルのＺ値を補間演算する補間手段を含み、
前記第２のオブジェクトが、
前記補間手段の演算誤差よりも大きな値の微少オフセット値だけ前記第１のオブジェクトから前記第１の方向側にずらして配置されることを特徴とする情報記憶媒体。
【請求項１８】  請求項１１乃至１７のいずれかにおいて、
前記第２のオブジェクトが、
前記第１のオブジェクトと同一形状又はほぼ同一形状であるがレンダリング情報が異なる第３のオブジェクトから所与の条件で切り出されたオブジェクトであることを特徴とする情報記憶媒体。
【請求項１９】  請求項１８において、
移動する第４のオブジェクトの情報と光源情報とに基づいて、前記第３のオブジェクトから前記第２のオブジェクトが切り出されることを特徴とする情報記憶媒体。
【請求項２０】  請求項１８又は１９において、
所与の平面を用いて前記第３のオブジェクトから前記第２のオブジェクトが切り出されることを特徴とする情報記憶媒体。
【手続補正書】
【提出日】平成19年6月7日(2007.6.7)
【手続補正１】
【補正対象書類名】明細書
【補正対象項目名】特許請求の範囲
【補正方法】変更
【補正の内容】
【特許請求の範囲】
【請求項１】  オブジェクトが設定されるオブジェクト空間における所与の視点での画像を生成するゲームシステムであって、
前記オブジェクトの定義点に、任意の軸方向に増減する合成パラメータを設定する合成パラメータ設定手段と、
前記合成パラメータに基づいて、所与の画像情報とジオメトリ処理後の前記オブジェクトの画像情報とに基づく合成処理を行う手段と、
を含むことを特徴とするゲームシステム。
【請求項２】  請求項１において、
前記任意の軸に対して１又は複数の平面を設定する手段と、
前記オブジェクトの定義点に対して、前記平面を特定する平面方程式に基づいて境界判定を行う手段とを含み、
前記合成パラメータ設定手段は、前記境界判定結果から前記合成パラメータを補間して前記定義点の合成パラメータを設定することを特徴とするゲームシステム。
【請求項３】  請求項２において、
前記合成パラメータの補間は、前記平面からの距離に応じて線形補間されたものであることを特徴とするゲームシステム。
【請求項４】  請求項１乃至３のいずれかにおいて、
第１のオブジェクト群に対しては前記合成パラメータを固定的に用いると共に、第２のオブジェクト群に対しては１又は複数フレームごとに前記合成パラメータを更新するものであることを特徴とするゲームシステム。
【請求項５】  オブジェクトが設定されるオブジェクト空間における所与の視点での画像を生成するゲームシステムであって、
前記オブジェクトの定義点に設定された合成パラメータの変化を開始させる境界平面を任意の軸方向に対して設定する手段と、
前記境界平面と前記オブジェクトとの位置関係をリアルタイムに変化させる手段と、
前記位置関係に応じて補間された合成パラメータに基づいて、所与の画像情報とジオメトリ処理後の前記オブジェクトの画像情報とに基づく合成処理を行う手段と、
を含むことを特徴とするゲームシステム。
【請求項６】  請求項５において、
前記オブジェクトの位置に対して前記境界平面の位置をリアルタイムに変化させるものであることを特徴とするゲームシステム。
【請求項７】  請求項５において、
前記境界平面の位置に対して前記オブジェクトの位置をリアルタイムに変化させるものであることを特徴とするゲームシステム。
【請求項８】  請求項１乃至７のいずれかにおいて、
前記所与の画像情報は、固定色の背景画像情報であることを特徴とするゲームシステム。
【請求項９】  請求項１乃至７のいずれかにおいて、
前記所与の画像情報は、描画領域に描画された画像情報であることを特徴とするゲームシステム。
【請求項１０】  請求項１乃至９のいずれかにおいて、
前記合成パラメータが増減される軸が複数設定されることを特徴とするゲームシステム。
【請求項１１】  コンピュータが使用可能な情報記憶媒体であって、
オブジェクトが定義されるオブジェクト空間における所与の視点での画像を生成するための前記オブジェクトの定義点に、任意の軸方向に増減する合成パラメーを設定する合成パラメータ設定手段と、
前記合成パラメータに基づいて、所与の画像情報とジオメトリ処理後の前記オブジェクの画像情報とに基づく合成処理を行う手段と、
としてコンピュータを機能させるためのプログラムを含むことを特徴とする情報記憶媒体。
【請求項１２】  請求項１１において、
前記任意の軸に対して１又は複数の平面を設定する手段と、
前記オブジェクトの定義点に対して、前記平面を特定する平面方程式に基づいて境界判定を行う手段と、
としてコンピュータを機能させるためのプログラムを含み、
前記合成パラメータ設定手段は、前記境界判定結果から前記合成パラメータを補間して前記定義点の合成パラメータを設定することを特徴とする情報記憶媒体。
【請求項１３】  請求項１２において、
前記合成パラメータの補間は、前記平面からの距離に応じて線形補間されたものであることを特徴とする情報記憶媒体。
【請求項１４】  請求項１０乃至１３のいずれかにおいて、
第１のオブジェクト群に対しては前記合成パラメータを固定的に用いると共に、第２のオブジェクト群に対しては１又は複数フレームごとに前記合成パラメータを更新するものであることを特徴とする情報記憶媒体。
【請求項１５】  コンピュータが使用可能な情報記憶媒体であって、
オブジェクトが設定されるオブジェクト空間における所与の視点での画像を生成するための前記オブジェクトの定義点に設定された合成パラメータの変化を開始させる境界平面を任意の軸方向に対して設定する手段と、
前記境界平面と前記オブジェクトとの位置関係をリアルタイムに変化させる手段と、
前記位置関係に応じて補間された合成パラメータに基づいて、所与の画像情報とジオメトリ処理後の前記オブジェクトの画像情報とに基づく合成処理を行う手段と、
としてコンピュータを機能させるためのプログラムを含むことを特徴とする情報記憶媒体。
【請求項１６】  請求項１５において、
前記オブジェクトの位置に対して前記境界平面の位置をリアルタイムに変化させるものであることを特徴とする情報記憶媒体。
【請求項１７】  請求項１５において、
前記境界平面の位置に対して前記オブジェクトの位置をリアルタイムに変化させるものであることを特徴とする情報記憶媒体。
【請求項１８】  請求項１０乃至１７のいずれかにおいて、
前記所与の画像情報は、固定色の背景画像情報であることを特徴とする情報記憶媒体。
【請求項１９】  請求項１０乃至１７のいずれかにおいて、
前記所与の画像情報は、描画領域に描画された画像情報であることを特徴とする情報記憶媒体。
【請求項２０】  請求項１０乃至１９のいずれかにおいて、
前記合成パラメータが増減される軸が複数設定されることを特徴とする情報記憶媒体。
【手続補正書】
【提出日】平成19年4月20日(2007.4.20)
【手続補正１】
【補正対象書類名】明細書
【補正対象項目名】特許請求の範囲
【補正方法】変更
【補正の内容】
【特許請求の範囲】
【請求項１】  リチウムイオンの吸蔵・放出が可能な正極と、リチウムイオンの吸蔵・放出が可能な負極と、リチウム塩を含む非水電解質とを有し、
前記負極の負極活物質が、金属および半金属からなる群の中から選択されるいずれか２種以上の元素と、酸素と、窒素とを含む合金粒子であって、
前記合金粒子が、Ｓｎ、Ｓｉ、Ａｌ、Ｇａ、Ｉｎ、Ｐｂ、Ｓｂ、Ｂｉから選択されるいずれか１種以上を成分として有するＡ相と、Ｔｉ、Ｚｒあるいは希土類元素から選択される１種以上を成分として有するＢ相とを有し、
前記合金粒子中の酸素と窒素の含有率が０重量％＜酸素＜１０重量％、０重量％＜窒素＜１０重量％および０．５重量％≦酸素＋窒素≦１０重量％を満たす、非水電解質二次電池。
【請求項２】  前記Ｂ相が前記Ａ相を取り囲む、請求項１に記載の非水電解質二次電池。
【請求項３】  前記合金粒子が、フッ素、硫黄、リンから選択される１種以上の元素をさらに有し、酸素と窒素及びフッ素、硫黄、リンの含有率が０．５重量％以上１０重量％以下である、請求項１に記載の非水電解質二次電池。
【手続補正書】
【提出日】平成19年7月19日(2007.7.19)
【手続補正１】
【補正対象書類名】明細書
【補正対象項目名】特許請求の範囲
【補正方法】変更
【補正の内容】
【特許請求の範囲】
【請求項１】  酸化剤として加圧空気を使用する燃料電池と、
前記燃料電池を加温或いは冷却する冷却水循環系と、
前記冷却水循環系内に設けられた冷却水を冷却する熱交換器と、
同様に前記冷却水循環系内に設けられ、冷却水を所定温度以上に保温、貯蔵する保温貯蔵手段と、
前記冷却水循環系の冷却水の流路を切り替える流路切替手段と、
前記燃料電池の内部温度を検出する温度検出手段と、
前記温度検出手段からの出力により、前記流路切替手段を制御する制御手段と、を具備していて、
前記燃料電池の低温起動時には、前記燃料電池を冷却するための前記熱交換器からの冷却水の供給を停止し、前記保温貯蔵手段内に保温されて、蓄えられた温められた冷却水を前記燃料電池に供給するように冷却水の流路を切り替え、前記燃料電池内部の温度が所定温度以上になったら、前記熱交換器により冷却された冷却水が前記燃料電池に供給されるように流路を切り替えて、前記燃料電池内部の温度上昇を抑えるように、前記制御手段により前記流路切替手段を制御することを特徴とする燃料電池の冷却／暖機設備。
【請求項２】  前記燃料電池の冷却に用いた冷却水の一部を、加圧空気を前記燃料電池に供給するエアポンプの冷却に使用するエアポンプ冷却系を更に具備していることを特徴とする請求項１に記載の燃料電池の冷却／暖機設備。
【請求項３】  前記エアポンプ冷却系が、前記エアポンプ冷却後の冷却水が前記保温貯蔵手段の外周囲を通って前記熱交換器に入るように、前記冷却水循環系に接続されていることを特徴とする請求項２に記載の燃料電池の冷却／暖機設備。
【請求項４】  前記燃料電池の定常運転時においても、外気温が低く低出力運転時には、前記保温貯蔵手段に蓄えられた高温の冷却水の一部を冷却せずに前記燃料電池に供給するように、前記制御手段が前記流路切替手段を制御することを特徴とする請求項１〜３のいずれか一項に記載の燃料電池の冷却／暖機設備。
【請求項５】  前記保温貯蔵手段が、昇華・凝結により熱の吸収・放出を行う蓄熱材を有していることを特徴とする請求項１〜４のいずれか一項に記載の燃料電池の冷却／暖機設備。
【請求項６】  酸化剤として加圧空気を使用する燃料電池と、
前記燃料電池を加温或いは冷却する冷却水循環系と、
前記冷却水循環系の冷却水を冷却する熱交換器と、
冷却水の熱を保温、貯蔵する保温貯蔵手段と、を具備していて、
冷却水を介して前記保温貯蔵手段内の熱を前記燃料電池に供給するよう制御することを特徴とする燃料電池の加熱装置。
【手続補正２】
【補正対象書類名】明細書
【補正対象項目名】０００５
【補正方法】変更
【補正の内容】
【０００５】
本発明は上記実情に鑑みなされたもので、その目的は、始動冷機時の発電効率を向上するようにした燃料電池の冷却／暖機設備を提供することである。
【手続補正３】
【補正対象書類名】明細書
【補正対象項目名】０００９
【補正方法】変更
【補正の内容】
【０００９】
請求項４に記載の該冷却／暖機設備は、燃料電池の定常運転時においても、保温貯蔵手段に蓄えられた高温の冷却水の一部を燃料電池に供給できるようにしたものであり、外気温が低く低出力運転時においても対応可能としている。
請求項５に記載の該冷却／暖機設備は、保温貯蔵手段に昇華・凝結により熱の吸収・放出を行う蓄熱材を設けたもので、保温貯蔵手段の蓄熱効率を一層高めたものである。
請求項６に記載の燃料電池の加熱装置は、酸化剤として加圧空気を使用する燃料電池と、燃料電池を加温或いは冷却する冷却水循環系と、この冷却水循環系の冷却水を冷却する熱交換器と、冷却水の熱を保温、貯蔵する保温貯蔵手段とを備えていて、冷却水を介して保温貯蔵手段内の熱を燃料電池に供給するよう制御するものであり、これにより、保温、貯蔵された冷却水を燃料電池内を循環させることで、効率良く燃料電池内を昇温することができる。
【手続補正書】
【提出日】平成19年7月12日(2007.7.12)
【手続補正１】
【補正対象書類名】明細書
【補正対象項目名】発明の名称
【補正方法】変更
【補正の内容】
【発明の名称】携帯電話端末における会員型サービスシステムおよびその方法および電子決済の方法
【手続補正２】
【補正対象書類名】明細書
【補正対象項目名】特許請求の範囲
【補正方法】変更
【補正の内容】
【特許請求の範囲】
【請求項１】
ユーザ端末とインターネットを介して接続された会員サーバが携帯電話端末のビジネス形態のサービスを行う携帯電話端末における会員型サービスシステムであって、
移動通信事業者に管理され，携帯電話端末の利用を管理する管理サーバと、
携帯電話端末のサービス会員のユーザ登録要求により少なくともユーザＩＤとメールアドレスとを含む会員情報を登録する会員管理機構と、
携帯電話端末からの少なくともメールアドレスと所定のＩＤに基づいて利用者を特定する認証機構と、
前記ユーザ端末からの携帯電話端末の注文に対して注文を受け付けその注文情報に従って前記管理サーバを管理する販売事業者に対して電子メールで発注する発注機構と、を使用して会員型サービスを提供することを特徴とする携帯電話端末における会員型サービスシステム。
【請求項２】
さらにユーザ端末に対してサービスできる商品の情報を参照させる機構と、
前記ユーザ端末に商品の注文の手続をさせ前記ユーザ端末からの商品の注文に対して商品の注文情報を受け付ける機構と、
注文の受付が完了して前記管理サーバを管理する販売事業者に発注するための電子メールを作成し発注したことを記録する機構と、を有することを特徴とする請求項１記載の携帯電話端末における会員型サービスシステム。
【請求項３】
請求項１又は請求項２の携帯電話端末における会員型サービスシステムを使用する携帯電話端末における会員型サービス方法であって、
前記携帯電話端末の会員サービスのユーザ登録要求により少なくともユーザＩＤとメールアドレスとを含む会員情報を登録するステップと、
前記携帯電話端末からの注文に対して注文を受け付けその注文情報に従って前記商品管理サーバに発注するステップと、を含むことを特徴とする携帯電話端末における会員型サービス方法。
【請求項４】
前記発注するステップは、前記ユーザ端末からの携帯電話端末の注文があった場合に、ユーザ端末に対して購入できる商品の情報を参照させ、前記ユーザ端末に商品の注文の手続をさせ前記ユーザ端末からの商品の注文に対して商品の注文情報を受け付け、注文の受付が完了して前記管理サーバに発注したことを記録することを特徴とする請求項３に記載の携帯電話端末における会員型サービス方法。
【請求項５】
利用端末とインターネットを介して接続された会員型サービスサーバを使用した携帯電話端末における会員型サービスシステムであって、
電子メール配信処理サーバは、該電子メール配信処理サーバに設定された複数の商品画像の中から、利用者が、内容に応じて任意のものを選択して所定の商品を一定時間選択自在し発注自在に構成されたことを特徴とする携帯電話端末における会員型サービスシステム。
【請求項６】
利用端末とインターネットを介して接続された会員型サービスサーバを使用した携帯電話端末における会員型サービスシステムであって、
電子メール配信処理サーバは、該電子メール配信処理サーバに設定された複数の商品画像の中から、利用者が、任意のものを選択して送信可能であり、又、該送信に対する返信は少なくともユーザＩＤとメールアドレスに基づいて検索された予め登録されている少なくともユーザＩＤとメールアドレスに基づいて認知自在に構成されていることを特徴とする携帯電話端末における会員型サービスシステム。
【請求項７】
携帯情報機器と移動体無線インターネットとインターネット上に個人認証を目的とするエージェントと個人認証用のＵＲＬ（Ｕｎｉｆｏｒｍ  Ｒｅｓｏｕｒｃｅ  Ｌｏｃａｔｉｏｎ）を発信する認証センターと、顧客がＷｅｂ上で決済を行う事により、インターネット上に設けた決済センターよりカード会社及び銀行より顧客の口座より代金の支払いを行うことを特徴とする電子決済の方法。
【請求項８】
請求項７の電子決済の方法において顧客はインターネットに設けられた各種ビジネス、商品の売買をメニューより閲覧出来、好みのビジネス、商品を端末上のブラウザより選択し、あらかじめ登録しておいてある認証エージェントに決済用のＵＲＬを発信するメールを送ることによって、個人認証用の仮想ＵＲＬを得ることを特徴とする電子決済の方法。
【請求項９】
請求項８の電子決済の方法において、ＵＲＬは一時的な仮想ＵＲＬであって、
一定時間後に消滅するのと、ＵＲＬのキャラクタ、数字は都度任意に変化し、同じものを使用しないことを特徴とする電子決済の方法。
【請求項１０】
決済用に送られて来た仮想ＵＲＬを顧客は決済手段としてクリックし、あらかじめ決済センターに登録してある本人認証用のパスワードを該端末機器に入力し、決済センターに記憶してある認証用パスワードと一致している時のみ仮想ＵＲＬが開けることを特徴とする電子決済の方法。
【請求項１１】
請求項１０の電子決済の方法において、仮想ＵＲＬをクリックし表示された金額、取引条件は所定時間経過しても、決済のクリックがない時には自動的に消滅して、一切の取引を無効とすることを特徴とする電子決済の方法。
【請求項１２】
店舗、自動販売機に商品情報を発信するブルートゥース、ＩｒＤａを手段とする送信器を備え、顧客の端末機器に自動入力し、該顧客は入力された商品情報を画面上よりクリックし、仮想ＵＲＬを自動受信して決済することを特徴とする電子決済の方法。
【手続補正書】
【提出日】平成19年7月13日(2007.7.13)
【手続補正１】
【補正対象書類名】明細書
【補正対象項目名】特許請求の範囲
【補正方法】変更
【補正の内容】
【特許請求の範囲】
【請求項１】 発電要素から引き出されたリード部材が溶着製フィルム部材よりなる電池外装体の溶着部から外部に導出されてそのまま外部端子となっている電池の製造方法であって、電池外装体の溶着部に位置する部分に樹脂被覆層を配したリード部材を有する発電要素を電池外装体に収納する第一の工程と、発電要素が収納された電池外装体を気密溶着封口する第二の工程と、気密溶着封口された電池外装体の外部に露出したリード部材を切断加工する第三の工程とを備えたことを特徴とする電池の製造方法。
【請求項２】 第一の工程と第二の工程との間に、電池外装体の溶着部を一部に未溶着部を残して溶着する工程と、未溶着部から発電要素に電解液を注入する工程とを備えたことを特徴とする、請求項１記載の電池の製造方法。
【手続補正２】
【補正対象書類名】明細書
【補正対象項目名】０００１
【補正方法】変更
【補正の内容】
【０００１】
【発明の属する技術分野】本発明は、発電要素から引き出されたリード部材が溶着製フィルム部材よりなる電池外装体の溶着部から外部に導出されてそのまま外部端子となっている電池の製造方法に関する。
【手続補正３】
【補正対象書類名】明細書
【補正対象項目名】００１５
【補正方法】変更
【補正の内容】
【００１５】
【課題を解決するための手段】本願発明の製造方法は、発電要素から引き出されたリード部材が溶着製フィルム部材よりなる電池外装体の溶着部から外部に導出されてそのまま外部端子となっている電池の製造方法であって、電池外装体の溶着部に位置する部分に樹脂被覆層を配したリード部材を有する発電要素を電池外装体に挿入収納する第一の工程と、発電要素が収納された電池外装体を気密溶着封口する第二の工程と、気密溶着封口された電池外装体の外部に露出したリード部材を切断加工する第三の工程とを備えたことを特徴とする電池の製造方法である。さらには、第一の工程と第二の工程との間に、電池外装体の溶着部を一部に未溶着部を残して溶着する工程と、未溶着部から発電要素に電解液を注入する工程とを備えたことを特徴とする、請求項１記載の電池の製造方法の発明である。
【手続補正４】
【補正対象書類名】明細書
【補正対象項目名】００１７
【補正方法】削除
【補正の内容】
【手続補正書】
【提出日】平成19年6月1日(2007.6.1)
【手続補正１】
【補正対象書類名】明細書
【補正対象項目名】請求項１
【補正方法】変更
【補正の内容】
【請求項１】  外部から電源が供給され、ホストシステム装置からのデータの格納、及び格納したデータのホストシステム装置への読み出しを行う半導体記憶装置において、
上記ホストシステム装置からのデータを格納するメモリ部と、
上記ホストシステム装置からの指令にしたがって該メモリ部の動作制御を行うコントロール部と、
外部からの電源供給低下及び遮断時に、上記メモリ部及び該コントロール部に対する電源供給を行う電源部と、
外部からの電源供給低下及び遮断時に、該電源部からの電源が外部へ供給されることを防止する外部供給遮断部と、
を備えることを特徴とする半導体記憶装置。
【手続補正２】
【補正対象書類名】明細書
【補正対象項目名】請求項３
【補正方法】変更
【補正の内容】
【請求項３】  外部から電源が供給され、ホストシステム装置からのデータの格納、及び格納したデータのホストシステム装置への読み出しを行う半導体記憶装置において、
上記ホストシステム装置からのデータを格納するメモリ部と、
上記ホストシステム装置からの各種データを一時的に格納する内蔵メモリを有し、ホストシステム装置からの指令にしたがってメモリ部の動作制御を行うコントロール部と、
外部からの電源供給低下及び遮断時に、該コントロール部の内蔵メモリに対する電源供給を行う電源部と、
を備えることを特徴とする半導体記憶装置。
【手続補正３】
【補正対象書類名】明細書
【補正対象項目名】０００８
【補正方法】変更
【補正の内容】
【０００８】
【課題を解決するための手段】
この発明に係る半導体記憶装置は、外部から電源が供給され、ホストシステム装置からのデータの格納、及び格納したデータのホストシステム装置への読み出しを行う半導体記憶装置において、ホストシステム装置からのデータを格納するメモリ部と、ホストシステム装置からの指令にしたがって該メモリ部の動作制御を行うコントロール部と、外部からの電源供給低下及び遮断時にメモリ部及び該コントロール部に対する電源供給を行う電源部と、外部からの電源供給低下及び遮断時に該電源部からの電源が外部へ供給されることを防止する外部供給遮断部とを備えるものである。
【手続補正４】
【補正対象書類名】明細書
【補正対象項目名】００１０
【補正方法】変更
【補正の内容】
【００１０】
この発明に係る半導体記憶装置は、外部から電源が供給され、ホストシステム装置からのデータの格納、及び格納したデータのホストシステム装置への読み出しを行う半導体記憶装置において、ホストシステム装置からのデータを格納するメモリ部と、ホストシステム装置からの各種データを一時的に格納する内蔵メモリを有し、ホストシステム装置からの指令にしたがってメモリ部の動作制御を行うコントロール部と、外部からの電源供給低下及び遮断時に、該コントロール部の内蔵メモリに対する電源供給を行う電源部とを備えるものである。
【手続補正書】
【提出日】平成19年1月19日(2007.1.19)
【手続補正１】
【補正対象書類名】明細書
【補正対象項目名】００４４
【補正方法】変更
【補正の内容】
【００４４】
当該ディスク面が情報記録面でない場合には、ステップＡ７に移行してディスク搬送手段１７によりディスクドライブ装置１４からターンテーブル１２の元の側のディスク収納部２０へ記録媒体Ｄｎを排出するように搬送される。その後、記録媒体Ｄｎを収納したターンテーブル１２がステップＡ８で反転される。そして、ステップＡ９でディスク搬送手段１７によりターンテーブル１２の他方の側のディスク収納部２０からディスクドライブ装置１４へ記録媒体Ｄｎが搬送される。これにより、ディスクドライブ装置１４に前と反対向きに記録媒体Ｄｎを装着し直すことができる。
【手続補正２】
【補正対象書類名】明細書
【補正対象項目名】００６９
【補正方法】変更
【補正の内容】
【００６９】
このテーブル支持体３７の裾部分の３箇所には、ターンテーブル１２の内周縁を下方から支える内側支持ローラ４２が設けられている。図７に示すように、３個の内側支持ローラ４２は円周方向に等角度間隔に配置されている。そして、テーブル支持体３７に設けられた図示しない支持ピンによって内側支持ローラ４２が水平方向へ回転自在に支持されている。この内側支持ローラ４２の外周縁下部には、半径方向外側に突出された図示しない外フランジが設けられている。これら内側支持ローラ４２の外フランジにターンテーブル１２の内周縁が載置されている。
【手続補正３】
【補正対象書類名】図面
【補正対象項目名】図１
【補正方法】変更
【補正の内容】
【図１】
2002042401.tif 000001
【手続補正４】
【補正対象書類名】図面
【補正対象項目名】図７
【補正方法】変更
【補正の内容】
【図７】
2002042401.tif 000002
【手続補正５】
【補正対象書類名】図面
【補正対象項目名】図１６
【補正方法】変更
【補正の内容】
【図１６】
2002042401.tif 000003
【手続補正書】
【提出日】平成19年6月29日(2007.6.29)
【手続補正１】
【補正対象書類名】明細書
【補正対象項目名】発明の名称
【補正方法】変更
【補正の内容】
【発明の名称】冗長救済回路および半導体装置
【手続補正２】
【補正対象書類名】明細書
【補正対象項目名】特許請求の範囲
【補正方法】変更
【補正の内容】
【特許請求の範囲】
【請求項１】
行列状に配置されたメモリセルと、
該メモリセルの行方向または列方向のいずれか一方または両方に配置された冗長メモリセルと、
前記メモリセルの所定のブロック毎に設けられ、該ブロック内の不良メモリセルのアドレスと該不良メモリセルからの出力とを含む不良情報と、該不良メモリセルを救済する冗長メモリセルの候補のアドレスとを含む判定情報を蓄積するエラー情報取得部と、
前記エラー情報取得部毎に蓄積された判定情報を該エラー情報取得部毎に順に入力していき、前記所定のブロック毎に不良メモリセルを救済する冗長メモリセルを求める解析部とを備えたことを特徴とする冗長救済回路。
【請求項２】
前記エラー情報取得部が蓄積する判定情報は前記冗長メモリセル内の不良メモリセルのアドレスと該不良メモリセルからの出力とをさらに含み、
前記解析部は、前記判定情報を該エラー情報取得部毎に順に入力していき、前記所定のブロック毎に不良メモリセルを救済する、前記冗長メモリセル内の不良メモリセルを除く冗長メモリセルを求めることを特徴とする請求項１記載の冗長救済回路。
【請求項３】
前記解析部を、前記半導体記憶装置における行アドレスデコーダに対応する位置であり、かつ前記メモリセルと前記冗長セルには対応しない位置に配置したことを特徴とする請求項１または２記載の冗長救済回路。
【請求項４】
前記解析部は、少なくともクロック信号、コマンド入力可信号およびコマンド信号を入力するピンと、救済する冗長メモリセルに関する置換情報信号を外部へシリアルに出力するピンとを有することを特徴とする請求項１〜３の何れか１項に記載の冗長救済回路。
【請求項５】
行列状に配置されたメモリセルと、該メモリセルの行方向または列方向のいずれか一方または両方に配置された冗長メモリセルとを有する半導体記憶装置と、
前記メモリセルの所定のブロック毎に設けられ、該ブロックから出力されたデータと所定の期待値とを比較して、該ブロック内の不良メモリセルのアドレスと該不良メモリセルからの出力とを含む不良情報と、該不良メモリセルを救済する冗長メモリセルの候補のアドレスとを含む判定情報を出力する判定回路と、
前記半導体記憶装置の不良メモリセルを救済する冗長救済回路とを備え、
該冗長救済回路は、
前記判定回路から出力された判定情報を蓄積するエラー情報取得部と、
前記エラー情報取得部毎に蓄積された不良情報と冗長セルの候補のアドレスとを該エラー情報取得部毎に順に入力していき、前記所定のブロック毎に不良メモリセルを救済する冗長メモリセルを求める解析部とを有することを特徴とする半導体装置。
【請求項６】
所定の期待値を発生させて前記判定回路へ出力するパターン発生器とをさらに備えたことを特徴とする請求項５記載の半導体装置。
【手続補正３】
【補正対象書類名】明細書
【補正対象項目名】０００６
【補正方法】変更
【補正の内容】
【０００６】
【課題を解決するための手段】
この発明の冗長救済回路は、行列状に配置されたメモリセルと、該メモリセルの行方向または列方向のいずれか一方または両方に配置された冗長メモリセルと、前記メモリセルの所定のブロック毎に設けられ、該ブロック内の不良メモリセルのアドレスと該不良メモリセルからの出力とを含む不良情報と、該不良メモリセルを救済する冗長メモリセルの候補のアドレスとを含む判定情報を蓄積するエラー情報取得部と、前記エラー情報取得部毎に蓄積された判定情報を該エラー情報取得部毎に順に入力していき、前記所定のブロック毎に不良メモリセルを救済する冗長メモリセルを求める解析部とを備えたものである。
【手続補正４】
【補正対象書類名】明細書
【補正対象項目名】０００８
【補正方法】変更
【補正の内容】
【０００８】
ここで、この発明の冗長救済回路は、前記解析部を、前記半導体記憶装置における行アドレスデコーダに対応する位置であり、かつ前記メモリセルと前記冗長セルには対応しない位置に配置することができる。
【手続補正５】
【補正対象書類名】明細書
【補正対象項目名】００１０
【補正方法】変更
【補正の内容】
【００１０】
この発明の半導体装置は、行列状に配置されたメモリセルと、該メモリセルの行方向または列方向のいずれか一方または両方に配置された冗長メモリセルとを有する半導体記憶装置と、前記メモリセルの所定のブロック毎に設けられ、該ブロックから出力されたデータと所定の期待値とを比較して、該ブロック内の不良メモリセルのアドレスと該不良メモリセルからの出力とを含む不良情報と、該不良メモリセルを救済する冗長メモリセルの候補のアドレスとを含む判定情報を出力する判定回路と、前記半導体記憶装置の不良メモリセルを救済する冗長救済回路とを備え、該冗長救済回路は、前記判定回路から出力された判定情報を蓄積するエラー情報取得部と、前記エラー情報取得部毎に蓄積された不良情報と冗長セルの候補のアドレスとを該エラー情報取得部毎に順に入力していき、前記所定のブロック毎に不良メモリセルを救済する冗長メモリセルを求める解析部とを有する。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正書】
【提出日】平成19年4月18日(2007.4.18)
【手続補正１】
【補正対象書類名】明細書
【補正対象項目名】特許請求の範囲
【補正方法】変更
【補正の内容】
【特許請求の範囲】
【請求項１】  鍵を鍵穴に挿入するのを容易にするために可視性が制限されている時に使用するポケット型懐中電燈であって、先端と後端と操作室を形成する形状壁とを有する中空状ハウジングと、後端近くの操作室に配設した電球を有する光線発生手段と、電球の前方に光線室を位置付けするように中空状ハウジングに配置させた光線室用の中空状延長部と、電球からの光線の一部がグラフイック表示部を形成するために不透明区域と協働して透明区域を照明するように光線室に配置させたグラフイック表示部を形成する空中状延長部上に備えた不透明及び透明区域と、電球からの残りの光線が開口部を通して透過させるために光線室の端部に配置させた開口部を有する前面カバーとから成り、懐中電燈の光線発生作動によりグラフイック表示部を照明可能にすると共に鍵穴位置を照明可能にしたポケット型懐中電燈。
【請求項２】  中空状ハウジングの形状とその中空状延長部の形状を長円形にした請求項１に記載のポケット型懐中電燈。
【請求項３】  グラフイック表示部を長円形壁に備えた請求項２に記載のポケット型懐中電燈。
【請求項４】  グラフイック表示部を形成する基体を写真フイルムのネガから構成した請求項１に記載のポケット型懐中電燈。
【請求項５】  グラフイック表示部を形成する基体をプリントした写真から構成した請求項１に記載のポケット型懐中電燈。
【手続補正２】
【補正対象書類名】明細書
【補正対象項目名】０００３
【補正方法】変更
【補正の内容】
【０００３】
ポケット型で使用の容易な米国特許第４８１９１４０号明細書の懐中電燈は宣伝のプレミアムとして使用するための望ましい特性を有している。しかし１９３９年７月１８日に発行されたアルバート  ゲラーディン氏の米国特許第２１６６８６４号明細書の「宣伝新製品」及び１９９０年７月３日に発行されたマッゾースホベルステイン氏の米国特許第４９３９６２６号明細書の「使い捨て懐中電燈」に印刷された印及び文により例証された通り、印刷することにより懐中電燈の商標が付された場合に、その製品は宣伝者が無料見本品のプレミアムに望む新しい有用性を欠くことになる。上述した公知の全ての特許製品は製品のコマーシャル表示を高めるために電池発生照明の利点をもたらすのに使用するものではない。
【手続補正３】
【補正対象書類名】明細書
【補正対象項目名】０００８
【補正方法】変更
【補正の内容】
【０００８】
符号１０で示した本発明の懐中電燈の主要構成部材は電球１４に電気接続されている符号１２で示した光線発生手段であり、該光線発生手段１２は１９８９年４月４日にグラフイン氏に付与した米国特許第４８１９１４０号明細書の圧縮性懐中電燈の対応構成部材と同じ構造と同じ作動形態になっている。特に米国特許第４８１９１４０号明細書から明らかな通り、電球１４を点燈させかつ懐中電燈１０の光端の前面カバー２８中の開口部２６を通して前方に発する光線２４を生じさせるように使用者１６は符号２０で示したボタン位置上で親指１８を下に押圧してハウジング２２内の電池と接続している接点をつなぐことができる。典型的な使用方法は図１に示した通り、鍵穴３０に鍵３２を挿入する準備をなすために鍵穴３０の位置を確認するために使用することにあり、この典型的な日常の作業は鍵３２と鍵穴３０との相互係合が懐中電燈の照明２４なしではいい加減になる時の夕方又は夜間における可視性が減じられている状況下において行われる。
【手続補正書】
【提出日】平成19年2月5日(2007.2.5)
【手続補正１】
【補正対象書類名】明細書
【補正対象項目名】特許請求の範囲
【補正方法】変更
【補正の内容】
【特許請求の範囲】
【請求項１】  
所定の電解質と所定の添加剤とを含有する第１の処理液を収容する第１の処理液槽と、
前記所定の電解質を含有し、前記所定の添加剤を実質的に含有しない第２の処理液を収容する第２の処理液槽と、
前記第１の処理液槽と前記第２の処理液槽とを隔てる、前記所定の電解質を透過し前記所定の添加剤の分子を透過しない隔膜と、
基板に接触可能な第１の電極と、
前記第２の処理液槽に配設され、前記第１の電極との間に電圧が印加される第２の電極と、
を具備することを特徴とする液処理装置。
【請求項２】  
前記第１の処理液の温度を制御する第１の温度制御部と、
前記第２の処理液の温度を前記第１の処理液の温度とは独立に制御する第２の温度制御部と、
をさらに具備することを特徴とする請求項１記載の液処理装置。
【請求項３】  
前記第２の温度制御部の設定温度が、前記第１の制御部の設定温度より高いことを特徴とする請求項１記載の液処理装置。
【請求項４】  
前記第２の温度制御部の設定温度が、２５°Ｃ以上であることを特徴とする請求項３記載の液処理装置。
【請求項５】  
前記第１の温度制御部の設定温度が、２０°Ｃ以下であることを特徴とする請求項３記載の液処理装置。
【請求項６】
前記第１の処理液槽に前記第１の処理液を供給するための第１の供給系と、前記第２の処理液槽に前記第２の処理液を供給するための第２の供給系とを具備することを特徴とする請求項１〜５のいずれかに記載の液処理装置。
【請求項７】
前記第２の電極は前記第１の供給系の周囲に配設したことを特徴とする請求項６に記載の液処理装置。
【請求項８】
前記第１の電極はカソード電極であり、前記第２の電極はアノード電極であることを特徴とする請求項１〜７のいずれかに記載の液処理装置。
【請求項９】  
前記所定の電解質が銅イオンであり、
前記第２の電極が銅を主成分とする材料で形成されていることを特徴とする請求項１〜８のいずれかに記載の液処理装置。
【請求項１０】  
前記所定の添加剤が、ブライトナーであることを特徴とする請求項１〜９のいずれかに記載の液処理装置。
【請求項１１】  
前記所定の添加剤が、ポリマーをさらに含むことを特徴とする請求項１０記載の液処理装置。
【請求項１２】  
所定の電解質と所定の添加剤とを含有する第１の処理液に浸漬された基板と、該所定の電解質を透過し該所定の添加剤の分子を透過しない隔膜によって該第１の処理液と隔てられ、かつ該所定の電解質を含有し該所定の添加剤を実質的に含有しない第２の処理液に浸漬された電極との間に通電することを特徴とする液処理方法。
【請求項１３】  
前記第２の処理液の温度が、前記第１の処理液の温度より高いことを特徴とする請求項１２記載の液処理方法。
【請求項１４】
前記第１の処理液及び前記第２の処理液は、第１の供給系及び第２の供給系によってそれぞれ独立に供給することを特徴とする請求項１２〜１３のいずれかに記載の液処理方法。
【請求項１５】
前記第１の処理液はカソード側に位置し、前記第２の処理液はアノード側に位置することを特徴とする請求項１２〜１４のいずれかに記載の液処理方法。